(57)【要約】【課題】表示部に表示される運転情報を遠くからでも確認することができる遠心機を提供すること。【解決手段】試料が挿入された回転体２を駆動する駆動装置（駆動手段）３と、前記回転体２の回転数を検出する回転センサ１０と、該回転センサ１０によって検出された回転体２の回転数を含む運転状態及び操作パネル７から入力された運転条件に基づいて前記駆動装置３を制御するコントローラ５と、少なくとも前記運転状態及び運転条件を表示する液晶表示部（表示部）６と、を備えた遠心機において、前記運転状態に応じて前記液晶表示部６の表示色を変化させる機能を設ける。【選択図】図２
2007136318.tif 000002
【特許請求の範囲】
【請求項１】
試料が挿入された回転体を駆動する駆動手段と、
前記回転体の回転数を検出する回転センサと、
該回転センサによって検出された回転体の回転数を含む運転状態及び操作パネルから入力された運転条件に基づいて前記駆動手段を制御するコントローラと、
少なくとも前記運転状態及び運転条件を表示する表示部と、
を備えた遠心機において、
前記運転状態に応じて前記表示部の表示色を変化させる機能を設けたことを特徴とする遠心機。
【請求項２】
前記表示部の表示色を前記回転体の運転中と停止中とで変化させることを特徴とする請求項１記載の遠心機。
【請求項３】
前記回転体の運転中に異常が発生した場合には、前記表示部の表示色を前記回転体の運転中と停止中の各色とは異なる色とすることを特徴とする請求項２記載の遠心機。
【請求項４】
前記回転体の運転中には前記表示部の表示を点滅させ、回転体の運転が停止すると点灯させることを特徴とする請求項１〜３の何れかに記載の遠心機。
【請求項５】
前記回転体の運転時間の経過と共に前記表示部の色表示面積を変化させることを特徴とする請求項１〜４の何れかに記載の遠心機。
【請求項６】
前記回転体の運転時間の経過と共に前記表示部の表示色を変化させることを特徴とする請求項１〜４の何れかに記載の遠心機。
【請求項７】
周囲の明るさを検出する照度センサを設け、該照度センサによって検出される周囲の明るさに応じて前記表示部の輝度を自動調整する機能を設けたことを特徴とする請求項１〜６の何れかに記載の遠心機。
【請求項８】
前記表示部は、各種情報を液晶表示することを特徴とする請求項１〜７の何れかに記載の遠心機。
【発明の詳細な説明】
【技術分野】
【０００１】
本発明は、試料が挿入された回転体を高速で回転させることによって試料を遠心分離するための遠心機に関するものである。
【背景技術】
【０００２】
この種の遠心機は、回転体に試料を挿入して一旦運転を開始すると長時間運転されることが多いため、オペレータは他の作業を行うために遠心機の側から離れることが多い。このため、遠心機の運転の状態を確認するためには、遠心機に近寄って液晶表示部に表示される回転数、運転時間等の数値を確認して運転状態を把握していた。
【０００３】
又、遠心機の中には、回転体が設定回転数に達した整定中の運転状況を遠くからでも確認し易いように限定した情報を拡大表示するようにしたものが提案されている（特許文献１参照）。
【特許文献１】特開２０００−３０１０２９号公報
【発明の開示】
【発明が解決しようとする課題】
【０００４】
ところが、表示部での表示箇所を拡大してオペレータの視認性を高めるようにしても、表示部から遠く離れた場所からは表示内容を確認しにくいという問題があった。
【０００５】
従って、本発明は、表示部に表示される運転情報を遠くからでも確認することができる遠心機を提供することにある。
【０００６】
又、遠心機が設置された部屋の明るさは天候や時刻によって変化し、部屋の明るさによって表示部の表示内容が見づらい場合もある。
【０００７】
従って、本発明の他の目的とする処は、表示部に表示される運転情報等を部屋の明るさに関わらず常に確実に確認することができる遠心機を提供することにある。
【課題を解決するための手段】
【０００８】
上記目的を達成するため、請求項１記載の発明は、
試料が挿入された回転体を駆動する駆動手段と、
前記回転体の回転数を検出する回転センサと、
該回転センサによって検出された回転体の回転数を含む運転状態及び操作パネルから入力された運転条件に基づいて前記駆動手段を制御するコントローラと、
少なくとも前記運転状態及び運転条件を表示する表示部と、
を備えた遠心機において、
前記運転状態に応じて前記表示部の表示色を変化させる機能を設けたことを特徴とする。
【０００９】
請求項２記載の発明は、請求項１記載の発明において、前記表示部の表示色を前記回転体の運転中と停止中とで変化させることを特徴とする。
【００１０】
請求項３記載の発明は、請求項２記載の発明において、前記回転体の運転中に異常が発生した場合には、前記表示部の表示色を前記回転体の運転中と停止中の各色とは異なる色とすることを特徴とする。
【００１１】
請求項４記載の発明は、請求項１〜３の何れかに記載の発明において、前記回転体の運転中には前記表示部の表示を点滅させ、回転体の運転が停止すると点灯させることを特徴とする。
【００１２】
請求項５記載の発明は、請求項１〜４の何れかに記載の発明において、前記回転体の運転時間の経過と共に前記表示部の色表示面積を変化させることを特徴とする。
【００１３】
請求項６記載の発明は、請求項１〜４の何れかに記載の発明において、前記回転体の運転時間の経過と共に前記表示部の表示色を変化させることを特徴とする。
【００１４】
請求項７記載の発明は、請求項１〜６の何れかに記載の発明において、周囲の明るさを検出する照度センサを設け、該照度センサによって検出される周囲の明るさに応じて前記表示部の輝度を自動調整する機能を設けたことを特徴とする。
【００１５】
請求項８記載の発明は、請求項１〜７の何れかに記載の発明において、前記表示部は、各種情報を液晶表示することを特徴とする。
【発明の効果】
【００１６】
本発明によれば、運転状態に応じて表示部の表示色を変化させる機能を設けたため、例えば遠心機が運転中であるか停止中であるか、運転中である場合には運転経過時間と残り運転時間の割合はどうか等の運転情報を表示部に表示される色によって遠くからでも一目で確認することができる。
【００１７】
又、照度センサによって検出される周囲の明るさに応じて表示部の輝度を自動調整するようにしたため、表示部に表示される運転情報等を部屋の明るさに関わらず常に確実に確認することができる。
【発明を実施するための最良の形態】
【００１８】
以下に本発明の実施の形態を添付図面に基づいて説明する。
【００１９】
図１は本発明に係る遠心機の基本構成を示すブロック図であり、図示の遠心機は、不図示の筐体の内部に回転体（ロータ）２を収納するための回転室１を備えており、回転体２は駆動手段である駆動装置（モータ）３によって回転室１内で回転駆動される。そして、回転室１内には、回転体２の回転数を検出するするための回転センサ１０と、回転体２の温度を検出するための温度センサ９が設けられており、これらの回転センサ１０と温度センサ９はコントローラ５に接続されている。尚、図示しないが、遠心機には、回転室１内を冷却するための冷却装置が設けられており、この冷却装置は、コントローラ５によって駆動制御される。
【００２０】
又、遠心機には、当該遠心機が設置された室内の照度を検出するための光電センサ８が設けられており、この光電センサ８も前記コントローラ５に接続されている。そして、コントローラ５には、各種運転情報を液晶表示する液晶表示部６と運転条件等を入力するための操作パネル７が接続されている。
【００２１】
更に、コントローラ５には駆動回路４が接続され、この駆動回路４は、コントローラ５からの信号を受信して前記駆動装置３を駆動制御する。
【００２２】
次に、前記コントローラ５及び光電センサ８の構成の詳細を図２に基づいて説明する。
【００２３】
図２はコントローラ５及び光電センサ８の構成を示すブロック図であり、図示のように、コントローラ５にはＣＰＵ１４が内蔵され、このＣＰＵ１４にはＲＡＭ１６とＲＯＭ１７が接続され、前記液晶表示部６と操作パネル７は、液晶表示部駆動回路１８を経てＣＰＵ１４に接続されている。
【００２４】
又、光電センサ８には可変抵抗１１と固定抵抗１３が直列に接続されている。ここで、光電センサ８に光が当たるとその抵抗値が変化するが、この光電センサ８には固定抵抗１３が直列に接続されているため、該光電センサ８と固定抵抗１３で分圧された電圧は光電センサ８の抵抗値の変化（つまり、部屋の明るさの変化）によって変化する。従って、明るさによって変化する電圧を増幅器１５で増幅してＣＰＵ１４に信号として入力すれば、ＣＰＵ１４は、後述のように液晶表示部６内のバックライトの輝度を部屋の明るさに応じて調整する。尚、可変抵抗１１は、光電センサ８の感度を微調整するために設けられている。
【００２５】
以上の構成を有する遠心機において、オペレータによって操作パネル７から運転条件（回転数、運転時間、温度等）が入力されると、コントローラ５は、それらの運転条件を記憶演算して駆動回路４に対して信号を送り、駆動回路４は、受信した信号に基づいて駆動装置３を駆動制御することによって回転体２を所定の回転数及び温度で回転駆動する。
【００２６】
又、回転体２の回転数や温度は、前記回転センサ１０と温度センサ９によってそれぞれ検出され、これらの検出信号はコントローラ５に送られる。すると、コントローラ５は、駆動回路４による駆動装置３の駆動を制御して回転体２の回転数を設定値に保持するとともに、不図示の冷却装置を制御して回転室１内の温度、つまり回転体２の温度を設定値に保持する。
【００２７】
以上のように回転室１内で回転体２が所定の回転数及び温度で所定時間だけ回転駆動されると、該回転体２内に挿入された試料が遠心分離処理される。
【００２８】
ここで、本発明の要旨を図３〜図６に基づいて説明する。
【００２９】
図３は遠心機の運転状態（回転数）の変化と表示色との関係を示す図、図４（ａ）〜（ｄ）は遠心機の運転状態の変化に対する表示方法のパターンを示す図、図５は液晶表示部での色表示動作を示すフローチャート、図６は液晶表示部の輝度調整動作を示すフローチャートである。
【００３０】
オペレータが試料を回転体２に挿入し、操作パネル７から運転条件を入力して運転を開始すると、図３に示すように、回転体２は加速⇒定速回転⇒減速と、入力した運転条件に従って運転される。即ち、時間ｔ１
において運転が開始されると、回転体２は加速されてその回転数Ｎが時間ｔの経過と共に次第に増加し、回転数Ｎが時間ｔ２
において設定回転数Ｎｓに達すると、回転体２はその設定回転数Ｎｓで時間ｔ４ まで定速回転する。そして、回転体２は、時間ｔ４ から減速を始め、その回転数Ｎが次第に減少して時間ｔ５ において回転体２が停止する。尚、回転体２が定速転中の例えば時間ｔ３ において異常が発生すると、回転体２は直ちに減速されて停止される。
【００３１】
ところで、遠心機の運転中においては、液晶表示部６は、オペレータから操作パネル７によって入力された運転条件を表示するとともに、現在の運転状態（回転数、運転時間、温度等）を表示する。
【００３２】
而して、本実施の形態では、液晶表示部６のバックライトの色を運転状態に応じて変化させ、その色によって運転状態を遠くからでも一目で容易に識別し、表示された色によって運転状態を把握することができるようにしている。
【００３３】
具体的には、図３及び図４（ａ）に示すように、回転体２が回転している運転中（時間ｔ１〜ｔ５）は黄色、停止中は緑色、異常が発生すると赤色で表示するようにしている。このようにすると、遠心機の電源がＯＮで運転停止時は液晶表示部６の表示は緑色で表示されるが、運転開始操作が行われると液晶表示部６は黄色で表示され、設定した運転時間になるか又は操作パネル７からの停止指示により回転体２が停止すると液晶表示部６の表示色は緑色に変わる。そして、運転中に異常が発生した場合には、液晶表示部６の表示の色は赤色に変わり、回転体２は停止する。
【００３４】
ここで、液晶表示部６に表示される色としては運転状態が識別できれば特に何色でも問題なく、その表示パターンとしては他に図４（ｂ）〜（ｄ）に示すようなものが考えられる。
【００３５】
図４（ｂ）に示すパターンは、遠心機の運転状態を色表示の点滅で表現する方法であって、停止→運転→停止に応じて色表示を黄色→緑色→黄色と変化させるとともに、運転中は液晶表示部６を点滅させて遠心機が運転中であることを知らせ、運転が停止すると点灯させて遠心機が停止中であることを知らるようにしたものである。
【００３６】
又、図４（ｃ) に示すパターンは、遠心機を運転している経過時間を表示の色の面積で表現する方法であって、運転開始時は液晶表示部６全体の表示の色は黄色で表示され、運転が開始されると運転時間の経過と共に左から右に緑色の面積を増やし、運転が終了すると液晶表示部６全体が緑色になるようにしたものである。具体的には、設定された時間の比（経過時間／設定時間×液晶画面の横ＤＯＴ数）で緑色の面積を計算し、その面積を経過時間と共に増加させる。
【００３７】
この方法によれば、オペレータは、液晶表示部６の表示色の面積の変化で、運転した経過時間を離れた場所から一目で容易に確認することができ、残りの運転時間等を容易に把握することができる。尚、この場合、液晶表示部６の表示の色を点滅させ、運転する経過時間と共に点滅する間隔を変化させるようにしても良い。
【００３８】
更に、図４（ｄ）に示すパターンは、遠心機を運転している経過時間を表示色の変化（色合い）で表現する方法である。
【００３９】
即ち、運転開始時には液晶表示部６全体の表示の色を黄色とし、運転が開始されると運転時間の経過と共に黄色から緑色に徐々に表示の色（色合い）を変化させることによって、運転経過時間を表現するようにしている。この方法は、液晶表示部６に表示する黄色から緑色まで色合いを定義してそれをＲＡＭ１６やＲＯＭ１７等のメモリに記憶させ、ＣＰＵ１４により運転時間の経過と共に液晶表示部６の表示の色を切り替えることによって実現される。
【００４０】
尚、何れのパターンにおいても、液晶表示部６には運転状態を示す回転数、温度、運転時間等がデジタル表示される。
【００４１】
次に、本実施の形態における液晶表示部６での色表示動作を図５のフローチャートに基づいて説明する。
【００４２】
先ず、初期値設定において、オペレータによって操作パネル７からＣＰＵ１４に入力された運転条件が設定され（ステップ１）、操作パネル７の不図示の運転開始スイッチが押されると、遠心機の運転が開始される（ステップ２）。
【００４３】
ＣＰＵ１４は、遠心機が運転中であるか否か、つまり回転体２が回転しているか否かを回転センサ１０からの検出信号によって判断し（ステップ３）、回転体２が停止していれば（ステップ３で判断結果がＮｏである場合）、液晶表示部６の表示色を緑色に設定する（ステップ７）。
【００４４】
遠心機が運転中であって、回転体２が回転している場合（ステップ３での判断結果がＹｅｓである場合）には、遠心機に異常が発生したか否かが判断され（ステップ４）、異常があれば（ステップ４での判断結果がＹｅｓである場合）、液晶表示部６の表示色を赤に設定する（ステップ６）。
【００４５】
異常がなければ（ステップ４での判断結果がＮｏである場合）、液晶表示部６の表示色を黄色で表示し（ステップ５）、以後、ステップ３以降の動作を繰り返す。
【００４６】
ところで、本実施の形態では、当該遠心機が設置されている部屋の明るさが光電センサ８によって検出され、検出された明るさに応じて液晶表示部６内のバックライトの輝度を調整するようにしている。その動作を図６に示すフローチャートに基づいて以下に説明する。
【００４７】
本実施の形態では、ＲＡＭ１６やＲＯＭ１７等のメモリに光の強弱を数値化して記憶させ、その数値に応じて周囲の明るさをレベル１〜レベルＮまでのＮ段階に分類している。そして、ＣＰＵ１４は、数値を基に光の強弱を判断し、光が強い場合は液晶表示部６内のバックライトの輝度を上げ、光が弱い場合は液晶表示部６内のバックライトの輝度を下げる方向で処理するようにプログラムされている。このため、明るい部屋では液晶表示部６の輝度が上り、暗い部屋では輝度が下がる。
【００４８】
尚、本実施の形態では、光電センサ８は光導電効果タイプのものを使用しているが、光起電力タイプ、光電子放出タイプ等、光を検知してそれを信号として取り出すことができるものであれば他の任意のものを使用することができる。
【００４９】
その動作を図６に示すフローチャートに基づいて以下に説明する。
【００５０】
遠心機のパワーがＯＮされると（ステップ１０）、遠心機の周囲の明るさとして予め実験により求めた数値を初期値として設定する（ステップ１１）。そして、ＣＰＵ１４は、光電センサ８からの信号によって周囲の明るさを順次判定し（ステップ１２〜ステップ１４）、それぞれのレベル１〜Ｎに応じて液晶表示部６内のバックライトの明るさをレベル１〜レベルＮの何れかに調整する（ステップ１５〜ステップ１７）。
【００５１】
以上のように、本実施の形態によれば、運転状態に応じて液晶表示部６の表示色を変化させる機能を設けたため、例えば遠心機が運転中であるか停止中であるか、運転中である場合には運転経過時間と残り運転時間の割合はどうか等の運転情報を液晶表示部６に表示される色によって遠くからでも一目で確認することができる。
【００５２】
又、本実施の形態では、光電センサ８によって検出される部屋の明るさに応じて液晶表示部６のバックライトの輝度を自動調整するようにしたため、液晶表示部６に表示される運転情報等を部屋の明るさに関わらず常に確実に確認することができる。
【図面の簡単な説明】
【００５３】
【図１】本発明に係る遠心機の基本構成を示すブロック図である。
【図２】本発明に係る遠心機のコントローラ及び光電センサの構成を示すブロック図である。
【図３】本発明に係る遠心機の運転状態（回転数）の変化と表示色との関係を示す図である。
【図４】（ａ）〜（ｄ）は本発明に係る遠心機の運転状態の変化に対する表示方法のパターンを示す図である。
【図５】本発明に係る遠心機の液晶表示部での色表示動作を示すフローチャートである。
【図６】本発明に係る遠心機の液晶表示部の輝度調整動作を示すフローチャートである。
【符号の説明】
【００５４】
１    回転室
２    回転体
３    駆動装置（駆動手段）
４    駆動回路
５    コントローラ
６    液晶表示部（表示部）
７    操作パネル
８    光電センサ（照度センサ）
９    温度センサ
１０  回転センサ
１１  可変抵抗
１３  固定抵抗
１４  ＣＰＵ
１５  増幅器
１６  ＲＡＭ
１７  ＲＯＭ
１８  液晶表示部駆動回路
【図１】
2007136318.tif 000003
【図２】
2007136318.tif 000004
【図３】
2007136318.tif 000005
【図４】
2007136318.tif 000006
【図５】
2007136318.tif 000007
【図６】
2007136318.tif 000008